(57)【要約】  室内機（１）は、少なくとも１つの送風機（２０Ａ）と、送風機（２０Ａ）を前後左右の４方向から取り囲むように構成された熱交換器（５０）と、送風機（２０Ａ）と熱交換器（５０）とを収容するケーシング（１０）とを備える。ケーシング（１０）は、吸込口（１１）と、吹出口（１２，１３）と、ケーシング（１０）の側面に設けられ、ケーシング（１０）を壁面（Ｗａ）に据え付けるための据付部（１０ｅ）と、熱交換器（５０）よりも据付部（１０ｅ）側に配置され、少なくとも熱交換器（５０）に接続される配管（５５）を収容するための収容部（１８）とを有し、送風機（２０Ａ）、熱交換器（５０）、据付部（１０ｅ）、及び収容部（１８）は、側面視において、送風機（２０Ａ）、熱交換器（５０）、収容部（１８）、及び据付部（１０ｅ）の順に並んで配置されている。
2020203987.tif 000002
【特許請求の範囲】
【請求項１】
少なくとも１つの送風機（２０Ａ，２０Ｂ）と、
上記送風機（２０Ａ，２０Ｂ）を前後左右の４方向から取り囲むように構成された熱交換器（５０，４５０）と、
上記送風機（２０Ａ，２０Ｂ）と上記熱交換器（５０，４５０）とを収容するケーシング（１０）と
を備え、
上記ケーシング（１０）は、
吸込口（１１）と、
吹出口（１２，１３，１４，１５）と、
上記ケーシング（１０）の側面に設けられ、上記ケーシング（１０）を壁面（Ｗａ）に据え付けるための据付部（１０ｅ）と、
上記熱交換器（５０，４５０）よりも上記据付部（１０ｅ）側に配置され、少なくとも上記熱交換器（５０，４５０）に接続される配管（５５）を収容するための収容部（１８）と
を有し、
上記送風機（２０Ａ，２０Ｂ）、上記熱交換器（５０，４５０）、上記据付部（１０ｅ）、及び上記収容部（１８）は、側面視において、上記送風機（２０Ａ，２０Ｂ）、上記熱交換器（５０，４５０）、上記収容部（１８）、及び上記据付部（１０ｅ）の順に並んで配置されていることを特徴とする、空気調和機の室内機（１，１０１，２０１，３０１，４０１）。
【請求項２】
請求項１に記載の空気調和機の室内機（１，１０１，２０１，３０１，４０１）において、
上記熱交換器（５０，４５０）と上記収容部（１８）との間に配置された断熱材（４３，１６０）を備えることを特徴とする、空気調和機の室内機（１，１０１，２０１，３０１，４０１）。
【請求項３】
請求項１又は２に記載の空気調和機の室内機（１，１０１，２０１，３０１，４０１）において、
上記送風機（２０Ａ，２０Ｂ）を複数備え、
複数の上記送風機（２０Ａ，２０Ｂ）は、並んで配置されており、
上記収容部（１８）は、複数の上記送風機（２０Ａ，２０Ｂ）が並んだ方向に延びていることを特徴とする、空気調和機の室内機（１，１０１，２０１，３０１，４０１）。
【請求項４】
請求項１から３のいずれか１項に記載の空気調和機の室内機（１，１０１，２０１，３０１，４０１）において、
上記ケーシング（１０）は、上記据付部（１０ｅ）側にコーナー部（Ｃ１，Ｃ２）を備え、
上記コーナー部（Ｃ１，Ｃ２）は、上記配管（５５）を挿し通すための少なくとも１つの接続口（１６Ａ，１６Ｂ，１７Ａ，１７Ｂ）を備えることを特徴とする、空気調和機の室内機（１，１０１，２０１，３０１，４０１）。
【請求項５】
請求項１から４のいずれか１項に記載の空気調和機の室内機（１，１０１，２０１，３０１，４０１）において、
上記吹出口（１２，１３，１４，１５）は、上記ケーシング（１０）の底面の上記据付部（１０ｅ）側に設けられている第１吹出口（１２）を含むことを特徴とする、空気調和機の室内機（１，１０１，２０１，３０１，４０１）。
【請求項６】
請求項５に記載の空気調和機の室内機（１，１０１，２０１，３０１，４０１）において、
上記第１吹出口（１２）は、下面視において、上記収容部（１８）に対して上記据付部（１０ｅ）と反対側に設けられていることを特徴とする、空気調和機の室内機（１，１０１，２０１，３０１，４０１）。
【請求項７】
請求項５又は６に記載の空気調和機の室内機（２０１，３０１）において、
上記ケーシング（１０）の底面かつ上記第１吹出口（１２）に対して上記据付部（１０ｅ）と反対側に設けられた吸込口（１１）を有し、
上記第１吹出口（１２）は、上記壁面（Ｗａ）側に向かって斜め下方に吹き出すことを特徴とする、空気調和機の室内機（２０１，３０１）。
【請求項８】
請求項５から７のいずれか１項に記載の空気調和機の室内機（１，１０１，２０１，３０１，４０１）において、
上記ケーシング（１０）は、上記送風機（２０Ａ，２０Ｂ）からの空気を上記第１吹出口（１２）に案内する通風路（４２，１６１，３４２）を有し、
上記通風路（４２）は、上記据付部（１０ｅ）から離れるように形成された部分（４２ａ）を有することを特徴とする、空気調和機の室内機（１，１０１，２０１，３０１，４０１）。
【請求項９】
請求項８に記載の空気調和機の室内機（１，１０１，２０１，３０１，４０１）において、
上記収容部（１８）は、上記通風路（４２，１６１，３４２）よりも上記据付部（１０ｅ）側に配置されていることを特徴とする、空気調和機の室内機（１，１０１，２０１，３０１，４０１）。
【請求項１０】
請求項５から９のいずれか１項に記載の空気調和機の室内機（１，１０１，２０１，３０１，４０１）において、
上記吹出口（１２，１３，１４，１５）は、上記ケーシング（１０）の側面に設けられた少なくとも１つの第２吹出口（１３，１４，１５）を含むことを特徴とする、空気調和機の室内機（１，１０１，２０１，３０１，４０１）。
【請求項１１】
請求項１から１０のいずれか１項に記載の空気調和機の室内機（１，１０１，２０１，３０１，４０１）において、
上記送風機（２０Ａ，２０Ｂ）は、上記送風機（２０Ａ，２０Ｂ）の回転軸（Ｒ）が上下方向に延びるように設けられていることを特徴とする、空気調和機の室内機（１，１０１，２０１，３０１，４０１）。
【発明の詳細な説明】
【技術分野】
【０００１】
本開示は、空気調和機の室内機に関する。
【背景技術】
【０００２】
従来の空気調和機の室内機としては、室内空気を下方から吸引して横方向に吐出するターボファンと、ケーシングの前面からコーナー部及び両側面に沿って設けられた熱交換器とを備えるものがある（特許文献１参照）。特許文献１には、空気調和機の室内機が部屋の天井と側壁により形成されるコーナー部分に設置される態様が記載されている。
【先行技術文献】
【特許文献】
【０００３】
【特許文献１】特許３１４１８６７号
【発明の概要】
【発明が解決しようとする課題】
【０００４】
上記従来の空気調和機の室内機において、熱交換器と冷媒配管との接続位置によっては、冷媒配管をケーシングの外に引き出し難いことがある。その結果、室内機を部屋の天井と側壁により形成されるコーナー部分に設置するときの据付工事の作業性が低下する恐れがある。しかし、特許文献１には、室内機を部屋の天井と側壁により形成されるコーナー部分に設置するときの据付工事の作業性に関して記載がない。【０００５】
本開示は、据付工事の作業性を向上できる空気調和機の室内機を提案する。
【課題を解決するための手段】
【０００６】
本開示の空気調和機の室内機は、
少なくとも１つの送風機と、
上記送風機を前後左右の４方向から取り囲むように構成された熱交換器と、
上記送風機と上記熱交換器とを収容するケーシングと
を備え、
上記ケーシングは、
吸込口と、
吹出口と、
上記ケーシングの側面に設けられ、上記ケーシングを壁面に据え付けるための据付部と、
上記熱交換器よりも上記据付部側に配置され、少なくとも上記熱交換器に接続される配管を収容するための収容部と
を有し、
上記送風機、上記熱交換器、上記据付部、及び上記収容部は、側面視において、上記送風機、上記熱交換器、上記収容部、及び上記据付部の順に並んで配置されていることを特徴とする。【０００７】
本開示によれば、配管を収容するための収容部が熱交換器よりも据付部側に配置されているので、空気調和機の室内機を壁面に据え付ける際に、配管をケーシングから引き出し易いので、配管の施工が容易になる。その結果、空気調和機の室内機の壁面への据付工事の作業性を向上できる。【０００８】
一実施形態の空気調和機の室内機は、上記熱交換器と上記収容部との間に配置された断熱材を備える。【０００９】
上記実施形態によれば、熱交換器と収容部との間に断熱材が配置されているので、熱交換器と収容部との間の熱交換が抑制され、収容部への結露が抑制される。これにより、結露水の機外滴下を抑制できる。【００１０】
一実施形態の空気調和機の室内機は、
上記送風機を複数備え、
複数の上記送風機は、並んで配置されており、
上記収容部は、複数の上記送風機が並んだ方向に延びている。【００１１】
一実施形態の空気調和機の室内機では、
上記ケーシングは、上記据付部側にコーナー部を備え、
上記コーナー部は、上記配管を挿し通すための少なくとも１つの接続口を備える。【００１２】
一実施形態の空気調和機の室内機では、
上記吹出口は、上記ケーシングの底面の上記据付部側に設けられている第１吹出口を含む。【００１３】
一実施形態の空気調和機の室内機では、
上記第１吹出口は、下面視において、上記収容部に対して上記据付部と反対側に設けられている。【００１４】
上記実施形態によれば、第１吹出口が下面視において据付部との間に収容部を挟んで配置されているので、第１吹出口は壁面から離れて設けられる。その結果、第１吹出口から吹き出された空気が壁面に当たって、吹き出された空気に巻き込まれた埃などが壁面を汚すのを抑制できる。【００１５】
一実施形態の空気調和機の室内機は、上記ケーシングの底面かつ上記第１吹出口に対して上記据付部と反対側に設けられた吸込口を有し、
上記第１吹出口は、壁面側に向かって斜め下方に吹き出す。【００１６】
上記実施形態によれば、第１吹出口が壁面側に向かって斜め下方に吹き出すので、第１吹出口から吹き出された空気は、吸込口とは反対側に向かって斜め下方に流れる。その結果、第１吹出口から吹き出された空気が吸込口に吸い込まれるショートサーキットを抑制できる。【００１７】
一実施形態の空気調和機の室内機では、
上記ケーシングは、上記送風機からの空気を上記第１吹出口に案内する通風路を有し、
上記通風路は、上記据付部から離れるように形成された部分を有する。【００１８】
上記実施形態では、第１吹出口に送風機からの空気を案内する通風路が据付部から離れるように形成された部分を有するので、第１吹出口は、壁面から離れて設けられる。その結果、第１吹出口から吹き出された空気が壁面に当たって、吹き出された空気に巻き込まれた埃などが壁面に付着して、壁面が汚れるのを抑制できる。【００１９】
一実施形態の空気調和機の室内機では、上記収容部は、上記通風路よりも上記据付部側に配置されている。【００２０】
一実施形態の空気調和機の室内機では、
上記吹出口は、上記ケーシングの側面に設けられた少なくとも１つの第２吹出口を含む。【００２１】
上記実施形態によれば、ケーシングの底面に設けられた第１吹出口及びケーシングの側面に設けられた第２吹出口のそれぞれから空気を吹き出すことで、熱交換器によって調和された空気が室内全体に行き渡り易くなるのでユーザの快適性を向上できる。【００２２】
一実施形態の空気調和機の室内機では、上記送風機は、上記送風機の回転軸が上下方向に延びるように設けられている。
【図面の簡単な説明】
【００２３】
【図１】本開示の第１実施形態に係る空気調和機の室内機を右斜め下方から見た斜視図である。
【図２】第１実施形態に係る空気調和機の室内機を左斜め後ろ下方から見た斜視図である。
【図３】第１実施形態に係る空気調和機の室内機の下面グリルを外した状態の下面図である。
【図４】第１実施形態に係る空気調和機の室内機のベルマウス、ドレンパン、及びドレンホースなどを外した状態の下面図である。
【図５】図３のＶ−Ｖ線に沿った断面図である。
【図６】第１実施形態に係る空気調和機の吹き出し方向を説明するための模式図である。
【図７】第１実施形態の変形例に係る空気調和機の室内機の図５と同様の断面図である。
【図８】本開示の第２実施形態に係る空気調和機の室内機の図５と同様の断面図である。
【図９】本開示の第３実施形態に係る空気調和機の室内機の図５と同様の断面図である。
【図１０】本開示の第４実施形態に係る空気調和機の室内機の図４と同様の下面図である。
【発明を実施するための形態】
【００２４】
以下、添付図面を参照して、本開示の実施形態に係る空気調和機の室内機１を説明する。
【００２５】
［第１実施形態］
図１は、第１実施形態に係る空気調和機の室内機１を右斜め下方から見た斜視図である。図２は、第１実施形態に係る空気調和機の室内機１を左斜め後ろ下方から見た斜視図である。
【００２６】
図１を参照すると、本実施形態に係る空気調和機の室内機１は、略直方体状のケーシング１０を備える。ケーシング１０は、ケーシング１０の底面を構成する底面グリル１０ａと、ケーシング１０の前面を構成する前面グリル１０ｂと、ケーシング１０の右側面を構成する右側面グリル１０ｃと、ケーシング１０の左側面を構成する左側面グリル１０ｄとを備える。本実施形態では、底面グリル１０ａと、前面グリル１０ｂと、右側面グリル１０ｃと、左側面グリル１０ｄとは、一体に形成されている。また、図２に示すように、ケーシング１０は、ケーシング１０の背面を構成する背面パネル１０ｅと、ケーシング１０の天面を構成する天面パネル１０ｆとを備える。背面パネル１０ｅと、天面パネル１０ｆとは、一体に形成されている。底面グリル１０ａと、前面グリル１０ｂと、右側面グリル１０ｃと、左側面グリル１０ｄと、背面パネル１０ｅと、天面パネル１０ｆとのそれぞれは、略矩形である。本開示に係るケーシング１０の側面は、ケーシング１０の前面と、左右の側面と、背面とを含む。言い換えれば、ケーシング１０の側面は、前面グリル１０ｂと、右側面グリル１０ｃと、左側面グリル１０ｄと、背面パネル１０ｅとで構成されている。
【００２７】
図１及び図２を参照すると、底面グリル１０ａは、室内空気をケーシング１０の内部に取り込むための吸込口１１と、ケーシング１０の内部から室内へと空気を吹き出すための底面吹出口１２とを有する。言い換えれば、本実施形態のケーシング１０は、ケーシング１０の底面に設けられた吸込口１１と、ケーシング１０の底面に設けられた底面吹出口１２とを備える。本実施形態の底面吹出口１２は、下面視において、ケーシング１０の底面グリル１０ａの背面パネル１０ｅ側に設けられている。具体的には、底面吹出口１２は、ケーシング１０の底面グリル１０ａの背面パネル１０ｅ側の長辺に沿って延びるように設けられている。本実施形態の底面吹出口１２は、本開示に係る第１吹出口の一例である。
【００２８】
前面グリル１０ｂは、ケーシング１０の内部から室内へと空気を吹き出すための前面吹出口１３を有する。本実施形態の前面吹出口１３は、本開示に係る第２吹出口の一例である。
【００２９】
右側面グリル１０ｃは、ケーシング１０の内部から室内へと空気を吹き出すための右側面吹出口１４を有する。同様に、左側面グリル１０ｄは、ケーシング１０の内部から室内へと空気を吹き出すための左側面吹出口１５を有する。右側面グリル１０ｃに設けられた右側面吹出口１４と、左側面グリル１０ｄに設けられた左側面吹出口１５とは、同様の構成を有する。右側面グリル１０ｃに設けられた右側面吹出口１４と、左側面グリル１０ｄに設けられた左側面吹出口１５とは、本開示に係る第２吹出口の一例である。
【００３０】
背面パネル１０ｅは、壁面Ｗａに固定された取付板（図示せず）を介して、壁面Ｗａに対して据え付けられる。本実施形態の背面パネル１０ｅは、本開示に係る据付部の一例である。
【００３１】
底面グリル１０ａは、冷媒配管５５（図３に示す）とドレンホース４４（図３に示す）とを挿し通すための２つの底面接続口１６Ａ，１６Ｂを備える。底面接続口１６Ａ，１６Ｂは、開口部と、開口部を覆う蓋部とを有する所謂ノックアウト穴である。底面接続口１６Ａ，１６Ｂは、底面グリル１０ａの背面パネル１０ｅ側の長辺の両端部にそれぞれ設けられている。具体的には、底面接続口１６Ａは、底面グリル１０ａの右側面グリル１０ｃ側かつ背面パネル１０ｅ側に設けられている。底面接続口１６Ｂは、底面グリル１０ａの左側面グリル１０ｄ側かつ背面パネル１０ｅ側に設けられている。本実施形態の底面接続口１６Ａ，１６Ｂは、本開示に係る接続口の一例である。
【００３２】
室内機１の据付時に、底面接続口１６Ａの蓋部を取り外すことで、底面接続口１６Ａの開口部が露出して冷媒配管５５（図３に示す）とドレンホース４４（図３に示す）とをケーシング１０の上下方向に挿し通すことができる。
【００３３】
室内機１の据付時に、底面接続口１６Ｂの蓋部を取り外すことで、底面接続口１６Ｂの開口部が露出して冷媒配管５５（図３に示す）に接続される外部の冷媒配管（図示せず）をケーシング１０の上下方向に挿し通すことができる。また、室内機１の据付時に、底面接続口１６Ｂの蓋部を取り外すことで、底面接続口１６Ｂの開口部が露出してドレンホース４４（図３に示す）に接続される外部のドレンホース（図示せず）をケーシング１０の上下方向に挿し通すことができる。
【００３４】
右側面グリル１０ｃは、冷媒配管５５（図３に示す）とドレンホース４４（図３に示す）とを挿し通すための側面接続口１７Ａを備える。また、左側面グリル１０ｄは、冷媒配管５５とドレンホース４４とを挿し通すための側面接続口１７Ｂを備える。側面接続口１７Ａ，１７Ｂは、開口部と、開口部を覆う蓋部とを有する所謂ノックアウト穴である。側面接続口１７Ａは、右側面グリル１０ｃの底面グリル１０ａ側かつ背面パネル１０ｅ側に設けられている。側面接続口１７Ｂは、左側面グリル１０ｄの底面グリル１０ａ側かつ背面パネル１０ｅ側に設けられている。本実施形態の側面接続口１７Ａ，１７Ｂは、本開示に係る接続口の一例である。
【００３５】
室内機１の据付時に、側面接続口１７Ａの蓋部を取り外すことで、側面接続口１７Ａの開口部が露出して冷媒配管５５（図３に示す）とドレンホース４４（図３に示す）とをケーシング１０の左右方向に挿し通すことができる。
【００３６】
室内機１の据付時に、側面接続口１７Ｂの蓋部を取り外すことで、側面接続口１７Ｂの開口部が露出して冷媒配管５５（図３に示す）と接続される外部の冷媒配管（図示せず）をケーシング１０の左右方向に挿し通すことができる。また、室内機１の据付時に、側面接続口１７Ｂの蓋部を取り外すことで、側面接続口１７Ｂの開口部が露出してドレンホース４４（図３に示す）に接続される外部のドレンホース（図示せず）をケーシング１０の左右方向に挿し通すことができる。
【００３７】
本実施形態のケーシング１０は、底面グリル１０ａと、右側面グリル１０ｃと、背面パネル１０ｅとによって構成されたコーナー部Ｃ１を備える。ケーシング１０のコーナー部Ｃ１は、底面接続口１６Ａと側面接続口１７Ａとを含む。また、ケーシング１０は、底面グリル１０ａと、左側面グリル１０ｄと、背面パネル１０ｅとによって構成されたコーナー部Ｃ２を備える。ケーシング１０のコーナー部Ｃ２は、底面接続口１６Ｂと側面接続口１７Ｂとを含む。
【００３８】
図３は、第１実施形態に係る空気調和機の室内機１の底面グリル１０ａを取り外した状態の下面図である。図３において、図１及び図２と同一の構成要素には、同一の参照符号を付して示す。
【００３９】
図３を参照すると、本実施形態に係る室内機１は、２つの送風機２０Ａ，２０Ｂを備える。２つの送風機２０Ａ，２０Ｂは、下面視において、吸込口１１と重なる位置に設けられている。２つの送風機２０Ａ，２０Ｂは、並んで配置されている。具体的には、２つの送風機２０Ａ，２０Ｂは、壁面Ｗａに沿って並んで配置されている。言い換えれば、２つの送風機２０Ａ，２０Ｂは、下面視において、背面パネル１０ｅが延びる方向に沿って並んで配置されている。本実施形態の送風機２０Ａ，２０Ｂは、ターボファンである。送風機２０Ａ，２０Ｂは、回転軸Ｒ回りにそれぞれ回転駆動され、回転軸Ｒに沿って空気を吸い込んで、回転軸Ｒに交差する方向に空気を吹き出す。送風機２０Ａ，２０Ｂは、ターボファンに限定されず、他の構成の遠心ファンであってもよく、プロペラファンのような軸流ファンであってもよい。
【００４０】
室内機１のケーシング１０の内部には、２つの送風機２０Ａ，２０Ｂに空気を導入するためのベルマウス３０と、熱交換器５０（図４に示す）で生じた結露水を受けるドレンパン４０とが設けられている。
【００４１】
ドレンパン４０は、熱交換器５０（図４に示す）で生じた結露水を受けるためのドレンパン本体４１と、送風機２０Ａ，２０Ｂから吹き出された空気を底面吹出口１２に案内する通風路４２を形成する案内部４３を備える。ドレンパン４０は、断熱材料からなる。案内部４３は、下面視において、通風路４２が底面吹出口１２と重なるように形成されている。また、ドレンパン４０には、ドレンパン本体４１に溜まった液体を室内機１のケーシング１０の外部に排出するためのドレンホース４４が接続されている。ドレンパン本体４１とドレンホース４４との接続部は、ケーシング１０の右側面グリル１０ｃ側に配置されている。言い換えれば、ドレンパン本体４１とドレンホース４４との接続部は、コーナー部Ｃ１（図１に示す）の近傍に設けられている。本実施形態に係るドレンホース４４は、本開示に係る配管の一例である。
【００４２】
図３を参照すると、ケーシング１０は、冷媒配管５５とドレンホース４４とを収容するための収容部１８を備える。収容部１８は、壁面Ｗａに沿って延びている。言い換えれば、収容部１８は、下面視において、背面パネル１０ｅが延びる方向（図３における左右方向）に沿って延びている。さらに言い換えれば、収容部１８は、２つの送風機２０Ａ，２０Ｂが並んだ方向に延びている。収容部１８は、底面接続口１６Ａ及び側面接続口１７Ａが設けられたコーナー部Ｃ１と、底面接続口１６Ｂ及び側面接続口１７Ｂが設けられたコーナー部Ｃ２との間に延びる。
【００４３】
本実施形態の収容部１８は、ケーシング１０の内部に設けられた空間であり、底面グリル１０ａ（図１に示す）と、背面パネル１０ｅと、ドレンパン４０の案内部４３とで画定される。また、本実施形態の収容部１８と、底面吹出口１２と、吸込口１１とは、下面視において、背面パネル１０ｅ側から前面グリル１０ｂ側に向かって、収容部１８と、底面吹出口１２と、吸込口１１との順番で配置されている。言い換えれば、本実施形態の底面吹出口１２は、下面視において、収容部１８に対して背面パネル１０ｅと反対側に設けられている。
【００４４】
図４は、第１実施形態に係る空気調和機の室内機１の底面グリル１０ａと、ドレンパン４０と、ドレンホース４４とを取り外した状態の下面図である。図４において、図１から図３と同一の構成要素には、同一の参照符号を付して示す。
【００４５】
図４を参照すると、空気調和機の室内機１は、２つの送風機２０Ａ，２０Ｂを前後左右の４方向から取り囲むように構成された熱交換器５０を備える。具体的には、熱交換器５０は、前後方向に延び、送風機２０Ａと右側面グリル１０ｃとの間に配置された第１熱交換部分５１と、左右方向に延び、２つの送風機２０Ａ，２０Ｂと前面グリル１０ｂとの間に配置された第２熱交換部分５２とを備える。また、熱交換器５０は、前後方向に延び、送風機２０Ｂと左側面グリル１０ｄとの間に配置された第３熱交換部分５３と、左右方向に延び、２つの送風機２０Ａ，２０Ｂと背面パネル１０ｅの間に配置された第４熱交換部分５４とを備える。本実施形態の熱交換器５０の第１熱交換部分５１と、第２熱交換部分５２と、第３熱交換部分５３と、第４熱交換部分５４とは、一体に設けられている。
【００４６】
第２熱交換部分５２は、一方側（図４において右側）の端部において、第１熱交換部分５１と連なるように設けられており、他方側（図４において左側）の端部において、第３熱交換部分５３と連なるように設けられている。
【００４７】
第４熱交換部分５４は、一方側（図４において右側）の端部において、冷媒配管５５と接続されており、他方側（図４において左側）の端部において、第３熱交換部分５３と連なるように設けられている。熱交換器５０と冷媒配管５５との接続部は、ケーシング１０の右側面グリル１０ｃ側に配置されている。言い換えれば、熱交換器５０と冷媒配管５５との接続部は、ケーシング１０のコーナー部Ｃ１（図１に示す）の近傍に設けられている。
【００４８】
冷媒配管５５は、配管５５ａと配管５５ｂとから構成される。本実施形態の冷媒配管５５は、断熱材料からなる配管カバー５６によって被覆されている。本実施形態に係る冷媒配管５５は、本開示に係る配管の一例である。
【００４９】
図５は、図３のＶ−Ｖ線に沿った断面図である。図５では、図１〜図４と同一の構成要素には、図１〜図４と同一の参照符号を付して示す。
【００５０】
図５を参照すると、通風路４２は、背面パネル１０ｅから離れるように形成された屈曲部分４２ａを有する。具体的には、本実施形態の通風路４２の屈曲部分４２ａは、上流（図における上側）から下流（図５における下側）に向かって背面パネル１０ｅから離れるように延びている。また、ドレンパン４０の案内部４３は、通風路４２の形状に沿った形状を有している。言い換えれば、案内部４３は、背面パネル１０ｅから離れるように形成された屈曲部分４３ａを有する。具体的には、本実施形態のドレンパン４０の案内部４３の屈曲部分４３ａは、一方側（図５において上側）から他方側（図５において下側）に向かって背面パネル１０ｅから離れるように延びている。本実施形態のドレンパン４０の案内部４３は、本開示に係る断熱材の一例である。
【００５１】
前述したように、ケーシング１０の収容部１８は、底面グリル１０ａと、背面パネル１０ｅと、ドレンパン４０の案内部４３とによって画定されている。ケーシング１０の収容部１８は、ドレンパン４０の案内部４３の屈曲部分４３ａの形状に起因して、一方側（図５の上側）から他方側（図５の下側）に向かって広がるように形成されている。言い換えれば、冷媒配管５５とドレンホース４４とを収容するための空間が、ドレンパン４０の案内部４３の形状に合わせて大きくなっている。
【００５２】
また、収容部１８は、熱交換器５０よりも背面パネル１０ｅ側に配置されている。具体的には、収容部１８は、熱交換器５０の第４熱交換部分５４よりも背面パネル１０ｅ側に配置されている。
【００５３】
また、案内部４３は、通風路４２と収容部１８とを区画する背面側部分４３ｂを有する。案内部４３の背面側部分４３ｂは、通風路４２を通過する空気と収容部１８との間の熱交換を抑制する。
【００５４】
送風機２０Ａ，２０Ｂは、送風機２０Ａ，２０Ｂの回転軸Ｒが上下方向に延びるように設けられている。
【００５５】
（空気の流れ）
以下、図６を参照して、本実施形態の空気調和機の室内機１から吹き出された空気の流れを説明するための模式図である。図６は、空気調和機の室内機１の設置態様の一例を示しており、本実施形態の室内機１は、窓Ｗｉの上の壁面Ｗａに設置されている。図４、図５及び図６を参照すると、本実施形態の室内機１は、ケーシング１０の前方と、ケーシング１０の側方と、ケーシング１０の下方との４方向に向かって熱交換器５０によって調和された空気を吹き出す。
【００５６】
図４、図５及び図６を参照すると、室内機１は、前面グリル１０ｂの前面吹出口１３からケーシング１０の前方に向かって熱交換器５０によって調和された空気を吹き出す。室内機１は、左側面グリル１０ｄの左側面吹出口１５からケーシング１０の左側方に向かってによって調和された空気を吹き出す。室内機１は、右側面グリル１０ｃの右側面吹出口１４からケーシング１０の右側方に向かって熱交換器５０によって調和された空気を吹き出す。室内機１は、底面グリル１０ａの底面吹出口１２からケーシング１０の下方に向かって熱交換器５０によって調和された空気を吹き出す。
【００５７】
図４を参照すると、送風機２０Ａ，２０Ｂによって送風機２０Ａ，２０Ｂの遠心方向に吹き出された空気の一部は、熱交換器５０の第１熱交換部分５１を通過して、右側面グリル１０ｃの右側面吹出口１４から室内に吹き出される。言い換えれば、室内機１は、右側面グリル１０ｃの右側面吹出口１４からケーシング１０の側方に向かって熱交換器５０の第１熱交換部分５１によって調和された空気を吹き出す（図４及び図６の符号Ａ参照）。
【００５８】
送風機２０Ａ，２０Ｂによって送風機２０Ａ，２０Ｂの遠心方向に吹き出された空気の一部は、熱交換器５０の第２熱交換部分５２を通過して、前面グリル１０ｂの前面吹出口１３から室内に吹き出される。言い換えれば、室内機１は、前面グリル１０ｂの前面吹出口１３（図１に示す）からケーシング１０の前方に向かって熱交換器５０の第２熱交換部分５２によって調和された空気を吹き出す（図４、図５及び図６の符号Ｂ参照）。
【００５９】
送風機２０Ａ，２０Ｂによって送風機２０Ａ，２０Ｂの遠心方向に吹き出された空気の一部は、熱交換器５０の第３熱交換部分５３を通過して、左側面グリル１０ｄの左側面吹出口１５から室内に吹き出される。言い換えれば、室内機１は、左側面グリル１０ｄの左側面吹出口１５からケーシング１０の側方に向かって熱交換器５０の第３熱交換部分５３によって調和された空気を吹き出す（図４及び図６の符号Ｃ参照）。
【００６０】
図５を参照すると、送風機２０Ａ，２０Ｂによって送風機２０Ａ，２０Ｂの遠心方向に吹き出された空気の一部は、熱交換器５０の第４熱交換部分５４を通過して、通風路４２に案内されて、底面グリル１０ａの底面吹出口１２から室内に吹き出される。言い換えれば、室内機１は、底面グリル１０ａの底面吹出口１２からケーシング１０の下方に向かって熱交換器５０の第４熱交換部分５４によって調和された空気を吹き出す（図５及び図６の符号Ｄ参照）。底面吹出口１２から室内に吹き出された空気は、コアンダ効果によって壁面Ｗａに引き寄せられ、壁面Ｗａに沿って流れる。
【００６１】
上記実施形態によれば、冷媒配管５５又はドレンホース４４のような配管を収容するための収容部１８が熱交換器５０よりも背面パネル１０ｅ側に配置されているので、空気調和機の室内機１を壁面Ｗａに据え付ける際に、配管をケーシング１０から引き出し易い。その結果、配管の施工が容易になり、空気調和機の室内機１の壁面Ｗａへの据付工事の作業性を向上できる。
【００６２】
上記実施形態では、ケーシング１０は、ケーシング１０の両方のコーナー部Ｃ１，Ｃ２に冷媒配管５５又はドレンホース４４のような配管を挿し通すための底面接続口１６Ａ，１６Ｂ及び側面接続口１７Ａ，１７Ｂを有している。室内機１の設置位置や、壁面Ｗａに設けられた配管穴（図示せず）の位置によって、配管を挿し通す接続口を底面接続口１６Ａ，１６Ｂ及び側面接続口１７Ａ，１７Ｂの中から適切に選択することで、配管の施工が容易になる。その結果、空気調和機の室内機１の壁面への据付工事の作業性を向上できる。
【００６３】
上記実施形態では、熱交換器５０と冷媒配管５５の接続部、及びドレンパン本体４１とドレンホース４４との接続部がケーシング１０のコーナー部Ｃ１の付近に配置されている。このため、冷媒配管５５又はドレンホース４４のような配管と接続される外部の配管をコーナー部Ｃ２に設けられた底面接続口１６Ｂ又は側面接続口１７Ｂに挿し通す場合、配管を引き回す必要がある。上記実施形態によれば、収容部１８がケーシング１０のコーナー部Ｃ１とコーナー部Ｃ２との間に延びているので、冷媒配管５５又はドレンホース４４のような配管と、この配管に接続される外部の配管とをケーシング１０に設けられた収容部１８に引き回せる。これにより、冷媒配管５５やドレンホース４４のような配管をケーシング１０の外部に引き回す必要がないため、外観を向上できる。
【００６４】
上記実施形態によれば、熱交換器５０と収容部１８との間に断熱材料からなる案内部４３が配置されているので、熱交換器５０と収容部１８との間の熱交換が抑制され、収容部１８への結露が抑制される。これにより、結露水の機外滴下を抑制できる。
【００６５】
上記実施形態によれば、通風路４２と収容部１８との間に断熱材料からなる案内部４３の背面側部分４３ｂが配置されているので、通風路４２を通過する空気と収容部１８との間の熱交換が抑制され、収容部１８への結露が抑制される。これにより、結露水の機外滴下を抑制できる。
【００６６】
上記実施形態によれば、底面吹出口１２が下面視において背面パネル１０ｅとの間に収容部１８を挟んで配置されているので、底面吹出口１２は壁面Ｗａから離れて設けられる。その結果、底面吹出口１２から吹き出された空気が壁面Ｗａに当たって、吹き出された空気に巻き込まれた埃などが壁面Ｗａに付着して、壁面Ｗａが汚れるのを抑制できる。
【００６７】
上記実施形態では、底面吹出口１２に送風機２０Ａ，２０Ｂからの空気を案内する通風路４２が背面パネル１０ｅから離れるように形成された屈曲部分４２ａを有するので、底面吹出口１２は、壁面Ｗａから離れて設けられる。その結果、底面吹出口１２から吹き出された空気が壁面Ｗａに当たって、吹き出された空気に巻き込まれた埃などが壁面Ｗａに付着して、壁面Ｗａが汚れるのを抑制できる。
【００６８】
上記実施形態では、空気調和機の室内機１は、ケーシング１０の底面に設けられた底面吹出口１２と、ケーシング１０の側面に設けられた前面吹出口１３、右側面吹出口１４、及び左側面吹出口１５とのそれぞれから空気を吹き出す。これにより、熱交換器５０によって調和された空気が室内全体に行き渡り易くなるのでユーザの快適性を向上できる。
【００６９】
［変形例］
図７は、本実施形態の変形例に係る空気調和機の室内機１０１の図５と同様の断面図である。
【００７０】
図７を参照すると、本変形例に係る室内機１０１のドレンパン１４０のドレンパン本体１４１と案内部１６０とは別体に形成されている。本変形例では、通風路１６１は、ドレンパン１４０のドレンパン本体１４１と、ドレンパン本体１４１と別体に形成された案内部１６０とによって画定されている。本変形例の案内部１６０は、本開示に係る断熱材の一例である。
【００７１】
［第２実施形態］
第２実施形態の空気調和機の室内機２０１は、底面グリル１０ａの構成を除いて、第１実施形態の空気調和機の室内機１と同様の構成を有しており、図３及び図４を援用する。第２実施形態において、第１実施形態と同様の構成には、同一の参照符号を付して示し、その詳細な説明を省略する。
【００７２】
図８は、本開示の第２実施形態に係る空気調和機の室内機２０１の図５と同様の断面図である。
【００７３】
図８を参照すると、本実施形態のケーシング１０の底面グリル１０ａは、底面吹出口１２からの風向を変更するためのフラップ２７０を備える。
【００７４】
本実施形態のフラップ２７０は、熱交換器５０によって調和された空気が底面吹出口１２から壁面Ｗａ側に向かって斜め下方に吹き出されるように、設けられている。言い換えれば、本実施形態の底面吹出口１２は、壁面Ｗａ側に向かって斜め下方に吹き出す。具体的には、フラップ２７０は、底面吹出口１２の上流から下流に向かって壁面Ｗａ側に延びるように設けられている。本実施形態では、壁面Ｗａに平行な平面Ｄ１とフラップ２７０に平行な平面Ｄ２とがなす角度θ１は、３０度である。
【００７５】
第２実施形態では、第１実施形態と同様の作用効果を奏する。
【００７６】
上記実施形態によれば、底面吹出口１２が壁面Ｗａ側に向かって斜め下方に吹き出すので、底面吹出口１２から吹き出された空気は、吸込口１１とは反対側に向かって斜め下方に流れる。その結果、底面吹出口１２から吹き出された空気が吸込口１１に吸い込まれるショートサーキットを抑制できる。
【００７７】
フラップ２７０は、壁面Ｗａに平行な平面Ｄ１とフラップ２７０に平行な平面Ｄ２とがなす角度θ１が変更可能なように、ケーシング１０に回動可能に取り付けられてもよい。
【００７８】
また、本実施形態では、底面グリル１０ａが１つのフラップ２７０を有していたが、底面グリル１０ａは、複数のフラップ２７０を備えていてもよい。
【００７９】
［第３実施形態］
第３実施形態の空気調和機の室内機３０１は、通風路３４２の構成を除いて、第１実施形態の空気調和機の室内機１と同様の構成を有しており、図３及び図４を援用する。第３実施形態において、第１実施形態と同様の構成には、同一の参照符号を付して示し、その詳細な説明を省略する。
【００８０】
図９は、本開示の第３実施形態に係る空気調和機の室内機３０１の図５と同様の断面図である。
【００８１】
図９を参照すると、本実施形態のドレンパン３４０は、熱交換器５０で生じた結露水を受けるためのドレンパン本体３４１と、送風機２０Ａ，２０Ｂ（図３に示す）から吹き出された空気を底面吹出口１２に案内する通風路３４２を形成する案内部３４３を備える。本実施形態の通風路３４２は、熱交換器５０によって調和された空気が底面吹出口１２から壁面Ｗａ側に向かって斜め下方に吹き出されるように、設けられている。言い換えれば、本実施形態の底面吹出口１２は、壁面Ｗａ側に向かって斜め下方に熱交換器５０によって調和された空気を吹き出す。具体的には、通風路３４２は、底面吹出口１２の近傍において、上流から下流に向かって壁面Ｗａ側に延びる偏向部３４２ａを有する。本実施形態では、壁面Ｗａに平行な平面Ｄ１と通風路３４２の偏向部３４２ａに平行な平面Ｄ３とがなす角度θ２は、３０度である。
【００８２】
第３実施形態では、第１実施形態と同様の作用効果を奏する。
【００８３】
上記実施形態によれば、底面吹出口１２が壁面Ｗａ側に向かって斜め下方に吹き出すので、底面吹出口１２から吹き出された空気は、吸込口１１とは反対側に向かって斜め下方に流れる。その結果、底面吹出口１２から吹き出された空気が吸込口１１に吸い込まれるショートサーキットを抑制できる。
【００８４】
［第４実施形態］
第４実施形態の空気調和機の室内機４０１は、熱交換器４５０の構成を除いて、第１実施形態の空気調和機の室内機１と同様の構成を有しており、図１及び図２を援用する。第４実施形態において、第１実施形態と同様の構成には、同一の参照符号を付して示し、その詳細な説明を省略する。
【００８５】
図１０は、本開示の第４実施形態に係る空気調和機の室内機４０１の図４と同様の下面図である。
【００８６】
図１０を参照すると、本実施形態の室内機４０１は、２つの送風機２０Ａ，２０Ｂを前後左右の４方向から取り囲むように構成された熱交換器４５０を備える。具体的には、熱交換器４５０は、左右方向に延び、送風機２０Ａと背面パネル１０ｅとの間に配置された第１熱交換部分４５１と、前後方向に延び、送風機２０Ａと右側面グリル１０ｃとの間に配置された第２熱交換部分４５２とを備える。また、熱交換器４５０は、左右方向に延び、２つの送風機２０Ａ，２０Ｂと前面グリル１０ｂとの間に配置された第３熱交換部分４５３と、前後方向に延び、送風機２０Ｂと左側面グリル１０ｄとの間に配置された第４熱交換部分４５４とを備える。また、熱交換器４５０は、左右方向に延び、送風機２０Ｂと背面パネル１０ｅとの間に配置された第５熱交換部分４５５を備える。本実施形態の熱交換器４５０の第１熱交換部分４５１と、第２熱交換部分４５２と、第３熱交換部分４５３と、第４熱交換部分４５４と、第５熱交換部分４５５とは、一体に設けられている。
【００８７】
第２熱交換部分４５２は、一方側（図１０において下側）の端部において、第１熱交換部分４５１と連なるように設けられており、他方側（図１０において上側）の端部において、第３熱交換部分４５３と連なるように設けられている。
【００８８】
第４熱交換部分４５４は、一方側（図１０において下側）の端部において、第５熱交換部分４５５と連なるように設けられており、他方側（図１０において上側）の端部において、第３熱交換部分４５３と連なるように設けられている。
【００８９】
また、第５熱交換部分４５５は、一方側（図１０において右側）の端部において、冷媒配管５５と接続されている。熱交換器４５０と冷媒配管５５との接続部は、ケーシング１０の左右方向の中央付近に配置されている。
【００９０】
第４実施形態では、第１実施形態と同様の作用効果を奏する。
【００９１】
以上、実施形態を説明したが、特許請求の範囲及び趣旨から逸脱することなく、形態や詳細の多様な変更が可能なことが理解されるであろう。
【００９２】
例えば、空気調和機の室内機１，１０１，２０１，３０１，４０１は、ドレンポンプを備えてもよい。この場合、ドレンホース４４をケーシング１０から上方に引き出せる。
【符号の説明】
【００９３】
１…室内機
１０…ケーシング
１０ａ…底面グリル
１０ｂ…前面グリル
１０ｃ…右側面グリル
１０ｄ…左側面グリル
１０ｅ…背面パネル（据付部）
１０ｆ…天面パネル
１１…吸込口
１２…底面吹出口（第１吹出口）
１３…前面吹出口（第２吹出口）
１４…右側面吹出口（第２吹出口）
１５…左側面吹出口（第２吹出口）
１６Ａ，１６Ｂ…底面接続口
１７Ａ，１７Ｂ…側面接続口
１８…収容部
２０Ａ，２０Ｂ…送風機
３０…ベルマウス
４０…ドレンパン
４１…ドレンパン本体
４２…通風路
４３…案内部（断熱材）
４３ａ…屈曲部分
４３ｂ…背面側部分
４４…ドレンホース
５０…熱交換器
５１…第１熱交換部分
５２…第２熱交換部分
５３…第３熱交換部分
５４…第４熱交換部分
５５…冷媒配管
１０１…室内機
１４０…ドレンパン
１４１…ドレンパン本体
１６０…案内部（断熱材）
１６１…通風路
２０１…室内機
２７０…フラップ
３０１…室内機
３４０…ドレンパン
３４１…ドレンパン本体
３４２…通風路
３４２ａ…偏向部
３４３…案内部
４０１…室内機
４５０…熱交換器
４５１…第１熱交換部分
４５２…第２熱交換部分
４５３…第３熱交換部分
４５４…第４熱交換部分
４５５…第５熱交換部分
Ｃ１，Ｃ２…コーナー部
【図１】
2020203987.tif 000003
【図２】
2020203987.tif 000004
【図３】
2020203987.tif 000005
【図４】
2020203987.tif 000006
【図５】
2020203987.tif 000007
【図６】
2020203987.tif 000008
【図７】
2020203987.tif 000009
【図８】
2020203987.tif 000010
【図９】
2020203987.tif 000011
【図１０】
2020203987.tif 000012
【国際調査報告】
2020203987.tif 000013
2020203987.tif 000014
2020203987.tif 000015
2020203987.tif 000016